(57)【要約】【課題】少なくとも２つに分離できるベッド枠であるにもかかわらずベビーベッドの使用時には丈夫にかつ安全に使用でき、さらに保管する際にはベッド枠の収縮作業を安全に行うことができて小スペースの場所に安定して保管できるベビーベッドを提供することにある。【解決手段】内側に床板２を設けるベッド枠３は前部枠４と後部枠５とに分割形成され、この前部枠４と後部枠５は連結手段６によって着脱自在に連結でき、前記床板２を外すと共に前記連結手段６を外して分離した前部枠４と後部枠５とを位置をずらして互いの枠内に係合できるようにした。【選択図】  図３
2004261269.tif 000002
【特許請求の範囲】
【請求項１】
内側に床板を設けるベッド枠は、前部枠と後部枠とに分割形成され、この前部枠と後部枠とは連結手段によって着脱自在に連結でき、前記床板を外すと共に前記連結手段を外して分離した前部枠と後部枠とを、位置をずらして互いの枠内に係合できるようにした構成を特徴とするベビーベッド。
【請求項２】
前部枠と後部枠との夫々の下部の四隅にキャスターを設けた請求項１記載のベビーベッド。
【発明の詳細な説明】
【０００１】
【発明の属する技術分野】
本発明はベビーベッドに関するものである。
【０００２】
【従来の技術】
従来から特許文献にも開示されているように各種のベビーベッドが開発されている。
【０００３】
【特許文献１】特願平８―７６６０号
【特許文献２】特願平４―４００５４号
【特許文献３】特願２０００−８２３７号
【特許文献４】特願２０００−８２２２号
【特許文献５】特願平７―２８４５１７号
【特許文献６】特願平９―２８４５１７号
【特許文献７】特願平７―２８４５１９号
【特許文献８】特願２０００―４９６８０号
【０００４】
そしてベビーベッドにおいて、一時的に部屋を片付けて部屋の使用できる空間を確保する場合や、不要になって押し入れ等に保管するために、折り畳んだりできるベビーベッドも開発されている。
【０００５】
例えばベビーベッド用の床板を囲繞するベット枠においては、所定箇所から水平方向に折り畳めるように折り畳み箇所に蝶番等を設けたものがある。このベッド枠を折り畳む場合は、先ず床板を外し、ベッド枠を外側から内側に向かって水平に押すことにより蝶番等の箇所から折り畳むことができる。折り畳んだベッド枠は、床板と重ねて一時的に部屋の端に立て掛けて片付けたり、押し入れに収納したりして、部屋の使用空間を確保している。また、ベット枠の所定箇所に蝶番を設けて、ベット枠の蝶番の箇所を上方向に押し上げることによって、２つに折り畳めるようにしたベビーベッドもある。
【０００６】
【発明が解決しようとする課題】
しかしながら、蝶番等を使用した折り畳み式のベビーベッドでは、例えば水平方向等からのベッド枠に対する負荷に対して強度的に弱く、また少し大きくなった赤ちゃんや兄弟・姉妹の幼児がベッド枠を繰り返し揺すったりしている間に、蝶番を固定するネジの部分に緩みが生じ、最悪の場合はネジが外れて蝶番の機能を損ない併せてベッド枠の強度も著しく低下させてしまうといった懸念があった。また折り畳む時に指を折り畳むベッド枠に挟んでしまう懸念があり危険であった。さらに蝶番等を折り畳み箇所に取り付けた構成のベビーベッドでは、強度的に弱いといった問題点があった。
【０００７】
本発明は前記のような点に鑑みて開発されたものであり、その目的とするところは、少なくとも２つに分離できるベッド枠であるにもかかわらず使用時には丈夫でかつ安全に使用でき、さらに保管する際にはベッド枠の収縮作業を安全に行うことができて小スペースの場所に安定して保管できるベビーベッドを提供することにある。
【０００８】
【課題を解決するための手段】
そこで、本発明は前記の目的を有効に達成するために、次のような構成にしてある。すなわち、請求項１記載の本発明のベビーベッドは、内側に床板を設けるベッド枠は、前部枠と後部枠とに分割形成され、この前部枠と後部枠とは連結手段によって着脱自在に連結でき、前記床板を外すと共に前記連結手段を外して分離した前部枠と後部枠とを、位置をずらして互いの枠内に係合できるようにした構成にしてある。
【０００９】
この構成により、ベビーベッドを使用する場合は、床板を取り付けられるように前部枠と後部枠とを対峙させて左右枠部分の縦端を当接または隣接させ、連結手段によって前部枠と後部枠との左右枠部分を連結してベッド枠を組み立てる。このベッド枠内の所定位置に床板を取り付けることによりベビーベッドとして使用することができる。そして分離できる前部枠と後部枠とは、連結手段で強固に連結することにより、ベビーベッドとして安全にかつ安定して使用することができる。また、一時的にベビーベッドを畳んで部屋のスペースを確保したい場合や、使用しなくなってベビーベッドを押し入れ等に保管する場合は、前記連結手段を外して前部枠と後部枠とを分離するとともに床板を外す。そして分離した前部枠と後部枠とを左右方向に位置をずらし、前部枠および／または後部枠を前後方向に移動させて互いの枠内に係合させて収納することができる。外した床板は、係合させた前部枠と後部枠との隙間に立てて収納保管することができる。このように分離した前部枠と後部枠とを係合させることにより、前後幅（ベビーベッドの前後方向の幅）が、使用時のベビーベッドの半分位の幅になり、小さいスペースを使用して部屋の中に片付けたり、或いは押し入れ等に収納保管することができる。
【００１０】
また、請求項２記載の本発明のベビーベッドは、請求項１記載のベビーベッドにおいて、前部枠と後部枠との夫々の下部の四隅にキャスターを設けた構成にしてある。
【００１１】
この構成により、ベビーベッドを片付けたり保管したりする場合や、ベッド枠を前部枠と後部枠とに分離して係合させる場合にも、前部枠並びに後部枠を夫々単独で転動させて移動させることができるため、保管作業等が楽にかつ迅速に行うことができる。また、前部枠と後部枠からなるベッド枠は、四隅とともに中央部を複数のキャスターで支持されているため、ベビーベッドを使用しているときや移動させているときもガタつくことなく安定している。
【００１２】
【発明の実施の形態】
以下、本発明の実施の形態について説明する。
図１は本発明に係るベビーベッドの斜視図、図２本発明に係るベビーベッドを分割した状態の斜視図、図３は図２の状態のベビーベッドを組み合わせた状態の斜視図、図４は棚板の斜視図、図５は連結手段の他の例の説明図、図６は連結手段のまた別の例の説明図である。
【００１３】
図１に示す本発明に係るベビーベッド１は、床板２、ベッド枠３を構成する前部枠４と後部枠５、連結手段６、キャスター７及び接続具３５によって構成されている。
【００１４】
より具体的に説明すると、前記床板２は、ベッド枠３の内形より僅かに小さい長方形状の板部材であって、ベッド枠３内の略中間部分に水平に配し、ボルト・ナットによって着脱可能にベッド枠３に取り付けられる。床板２は、クッション性を有するとともに強度的にも床板として使用できる強度（構造）を備えたものであれば、如何なる構造、材質のものであってもよい。この場合は、必ずしもマットや敷き布団を必要としない。
【００１５】
前記ベッド枠３は、全体が平面視で長方形状であって、両短辺側の中央部分で前部枠４と後部枠５とに分離できる構成である。図示の例の前部枠４と後部枠５は略同形の平面視コ状である。
【００１６】
前記前部枠４は、１対の支柱部材８、上部前桟枠９、下部前桟枠１０、１対の前側桟枠１１、４個のキャスター７及び多数のボルト（またはネジ）・ナット（図示せず）からなる。所定間隔を以って対峙させた両支柱部材８間には、上部前桟枠９と下部前桟枠１０とが取り付けてある。
【００１７】
すなわち、両支柱部材８間の下部には、下部前桟枠１０を配して両側端部を前記支柱部材８に固定してある。また、両支柱部材８間の上部には上部前桟枠９を配し、この上部前桟枠９は、両側枠部９ａ（片側図示せず）に空けた孔１４を介して係止ピン１３によって各支柱部材８に係止できるようにしてある。さらにこの上部前桟枠９は、両側端部９ａの凸部（図示せず）を両支柱部材８の対峙する上下方向に形成した縦溝１５（片側図示せず）に、摺動可能に嵌め合わせて取り付けてある。
【００１８】
前記係止ピン１３を外すことによって上部前桟枠９は、縦溝１５に沿って両支柱部材８の下部まで下げることができる。この両支柱部材８には、前記上部前桟枠９や下部前桟枠１０に対して直角方向に１対の前側桟枠１１がボルト（またはネジ）・ナットで固定してある。
【００１９】
さらに各支柱部材８の下端部、並びに各前側桟枠１１の支柱部材８と反対側の下部には、キャスター７が取り付けてある。また、各前側桟枠１１の上部枠部材１６と下部枠部材１７には、後述する連結手段６によって前部枠４と後部枠５とを連結するときに使用する貫通孔１８、１９（図２参照）、並びに片方の前側桟枠１１には後述する接続具３５を取り付ける貫通孔２３が形成されている。勿論、図示せずするが接続具３５を取り付ける貫通孔は、両前側桟枠１１の所定箇所に形成しておいてもよい。
【００２０】
前記後部枠５（図１参照）は、１対の支柱部材２０、後桟枠２１、１対の後側桟枠２２、４個のキャスター７及び多数のボルト（またはネジ）・ナット（図示せず）からなる。所定間隔を以って対峙させた両支柱部材２０には、両支柱部材２０間に後桟枠２１を配して両側端部を固定してある。また両支柱部材２０には、前記後桟枠２１に対して直角方向に各後側桟枠２２がボルト（またはネジ）・ナットで固定してある。各支柱部材２０の下端部並びに両後側桟枠２２の支柱部材２０と反対側の下部には、キャスター７が取り付けてある。
【００２１】
また、各後側桟枠２２の上部枠部材２４と下部枠部材２５には、後述する連結杆部材２８をボルト・ナットによって取り付けるための貫通孔２６、２７（図２参照、片方の後側桟枠２２には図示せず）、並びに片方の後側桟枠２２の上部枠部材２４と下部枠部材２５には後述する接続具３５を取り付ける貫通孔３１、３２が形成してある。勿論、接続具３５を取り付ける貫通孔は、図示省略するが両方の後側桟枠２２に形成しておいてもよい。
【００２２】
前記連結手段６は、適宜長さの４本（各１本）の連結杆部材２８と、複数のボルト２９と、複数のナット３０からなる。各連結杆部材２８には貫通孔３３，３４が形成されている。この貫通孔３３，３４は、前部枠４と後部枠５とを突き合わせて口状に配し、各連結杆部材２８を前部枠４と後部枠５との境目を跨ぐようにして上部枠部材１６、２４、並びに下部枠部材１７、２５の外面に当接させたときに、前記貫通孔１８、２６（図２参照）、並びに貫通孔１９、２７、と一致する各連結杆部材２８の両端近傍の２箇所に形成してある。
【００２３】
前記接続具３５は、複数のボルト（またはネジ）３６とナット３７（図３参照、片方図示せず）からなる。勿論、前記した連結杆部材２８による連結を解除するときに取り外される連結手段６の前記ボルト２９、ナット３０を接続具３５として使用してもよい。この接続具３５は、ベビーベッド１を保管する時などに、図３に示すように前部枠４と後部枠５とを位置をずらして係合させた際に前部枠４と後部枠５とを接続するのに使用する。勿論、この例では接続具３５を使用しているが、分離した前部枠４と後部枠５と互いの枠内に図３に示すように係合させて接続具３５で固定することなく保管等をしてもよい。
【００２４】
前記した各構成要素によって本発明のベビーベッド１は構成されている。ベビーベッド１を使用する場合は、図１のようにキャスター７を取り付けてコ状に組み立てた前部枠４と後部枠５とを図示のように突き合せて口状のベッド枠３を形成する。前記のように突き合わせた前部枠４の各前側桟枠１１の上部枠部材１６と、後部枠５の各後側桟枠２２の上部枠部材２４との外面に、前記連結杆部材２８を水平に当接させる。この際、各前側桟枠１１の上部枠部材１６に形成した貫通孔１８と、各後側桟枠２２の上部枠部材２４に形成した貫通孔２６との位置に、連結杆部材２８の対応する貫通孔３３，３４を一致させる。その後に例えばナット３０を内側から上部枠部材１６、２４の各貫通孔１８、２６に埋め込む。そして外側から連結杆部材２８の各貫通孔３３，３４にボルト２９を挿入して前記ナット３０にねじ付ける。このようにして前部枠４の各前側桟枠１１の上部枠部材１６と、後部枠５の各後側桟枠２２の上部枠部材２４とを連結する。
【００２５】
同様にして前部枠４の各前側桟枠１１の下部枠部材１７と、後部枠５の各後側桟枠２２の下部枠部材２５とを、各連結杆部材２８、ボルト２９及びナット３０によって連結する。
【００２６】
前記床板２は、前記のように組み立てたベッド枠３内の略中間位置に水平に配してボルト（またはネジ）・ナットでベッド枠３に着脱可能に固定する。必要に応じて床板２の上にはマットや敷き布団を敷いてもよい。
【００２７】
このようにして組み立てた本発明のベビーベッド１は、ベッド枠３を押すことによって各キャスター７が転動し、所望の場所に容易に移動させることができる。
また、前部枠４と後部枠５は、前記した連結手段６によって強固に連結されているので、押した時に或いは少し大きくなった赤ちゃんがベッド枠３を内側から揺すったり、兄弟・姉妹の幼児等が外から繰り返し揺すっても、ベッド枠３に歪が生じたりガタついたりすることもない。さらに、ベッド枠３の四隅に取り付けた４個のキャスター７とともに、ベッド枠３の左右の中央部分の４個のキャスター４によってベッド枠３等を支えているので、ベッド枠３の四隅にのみキャスターを取り付けたベビーベッドに比べ、より安定した状態で使用することができる。
【００２８】
また、使用しなくなった前記ベビーベッド１を押入れや物置に保管する場合や、一時的にベビーベッドを畳んで部屋のスペースを確保したい場合には、前部枠４と後部枠５を連結する上下の各連結杆部材２８の前部枠４側のボルト２９を外す。この場合、後部枠５側のボルト３０は緩めないで各連結杆部材２８を上部枠部材２４並びに下部枠部材２５に止めた状態にしておく。勿論、後部枠５の上部枠部材２４のボルト３０を少し緩めて、各連結杆部材２８をこのボルト３０で吊るした状態にしておいてもよい。
【００２９】
また、床板２も各取り付けボルトを外して、図２のように立てて後桟枠２１にもたれさせておくか或いはベッド枠３内から一旦外に取り出しておく。
【００３０】
前記のようにして前部枠４と後部枠５との連結を解除した後は、前部枠４又は後部枠５の何れか一方（勿論、両方でもよい。）を左右方向に少しずらし、前部枠４並びに後部枠５に取り付けた状態の各連結杆部材２８が、係合させる前部枠４並びに後部枠５の外側に位置するように配す（図３参照）。
【００３１】
このようにした後に、例えば前部枠４を後部枠５の方向に、後部枠５の後桟枠２１に、前部枠４の一方の前側桟枠１１の先端部３８が当るとともに、前部枠４の上部前桟枠９並びに各下部前桟枠１０に、後部枠５の後側桟枠２２の先端部３９が当るまで押し込んで、前部枠４と後部枠５とを係合させる。
【００３２】
このように係合させた場合、後部枠５の後側桟枠２２と前部枠４の前側桟枠１１とは平行に隣接した状態となる。この時、片方（図上の右側）の後側桟枠２２の上部の貫通孔２６と、前側桟枠１１の上部の貫通孔２３（図２参照）とが一致するとともに、後側桟枠２２の下部の貫通孔２７と前側桟枠１１の下部の貫通孔（図示せず）とが一致する。また、もう片方（図上の左側）の後側桟枠２２の上部の貫通孔３１と前側桟枠１１の上部の貫通孔１８とが一致するとともに、後側桟枠２２の下部の貫通孔３２と前側桟枠１１の下部の貫通孔１９（図２参照）とが一致する。
【００３３】
前記のように一致した各貫通孔に外側から接続具３５であるボルト（またネジ）３６を挿入し、内側の各貫通孔に埋め込んだナット３０にねじ込んで、隣接する各前側桟枠１１と後側桟枠２２とを接続する。
【００３４】
このようにしてベビーベッド１を２分割して係合させることにより後桟枠２１と、上部前桟枠９並びに下部前桟枠１０との間隔、すなわち奥行き幅は、ベビーベッド１の略半分にできる。このようにベビーベッド１は、平面視長方形状の内部空間４０を有する係合枠体４１に組み替えできるので、安定性があり、内部空間４０に床板２や、或いはマット、敷布団等を立てて収納保管することができる。
【００３５】
また、前記のベビーベッド１内の下部に図４に示すような棚板４２を水平に取り付け、前記下部前桟枠１０の開閉桟枠４３（図１参照）を外し、赤ちゃんの肌着やタオル等を前記棚板４２の上に載置して収納できるようにしてもよい。
【００３６】
この場合の棚板４２は、両端部をコ状に形成されていて、この両端部４４をベッド枠３の左右の前側桟枠１１の下部枠部材１７の上に係止させて取り付ける。また、前記両端部４４の空間部長さ４５は、前側桟枠１１の厚みと後側桟枠２２の厚みを合わせた長さと略同じ長さに形成してある。
【００３７】
このことは図３のように前部枠４と後部枠５とを係合させて、棚板４２の両端部４４を、並列した前側桟枠１１と後側桟枠２２との各下部枠部材１７，２５上に係止した場合、両端部４４の空間部４６は、前側桟枠１１並びに後側桟枠２２の各下部枠部材１７、２５で下から蓋され、棚板４２の上に載せて保管するようにした小間物が前記空間部４６から下に落ちるのを防止できる。
【００３８】
図５は連結手段６の他の例を示し、図５（Ａ）は平面視した説明図、図５（Ｂ）は正面視した説明図であり、この例の連結手段６は、係止金具４７とネジ４８とからなる。係止金具４７は、後側桟枠２２の上部または／および下部に回転可能に取り付けられ、倒すことによって前側桟枠１１に嵌め合わせることができる。係止金具４７にはネジ４８を通す穴４９が形成してある。係止金具４７を倒したときに前記穴４９と一致する前側桟枠１１の位置には、ネジ用孔５０が形成してある。前側桟枠１１と後側桟枠２２を連結するときには、係止金具４７を倒し、穴４９から前側桟枠１１のネジ用孔５０にネジ４８をねじ込み、前側桟枠１１と後側桟枠２２とを連結する。連結を解除する場合は、ネジ４８を外すことにより簡単に連結を解除することができる。
【００３９】
図６は連結手段６のまた別の例を示し、図６（Ａ）は平面視した説明図、図６（Ｂ）は正面視した説明図であり、この例の連結手段６は、ネジ軸５１と複数の木製のネジ軸受け部材５２とからなる。ネジ軸受け部材５２は、後側桟枠２２の上部または／および下部に２つと、前側桟枠１１の上部または／および下部に１つ設けてある。そしてつまみ５３を摘んでネジ軸５１を各ネジ軸受け部材５２にねじ込むことによって前側桟枠１１と後側桟枠２２とを連結することができる。また、つまみ５３を摘んでネジ軸５１を前側桟枠１１のネジ軸受け部材５２から外すことによって、簡単に前側桟枠１１と後側桟枠２２との連結を解除することができる。
【００４０】
なお、本発明に係る連結手段並びに接続具は、連結或いは接続できる手段であれば図示の例に限らずその他の如何なる構成のものであってもよい。
【００４１】
【発明の効果】
以上、前記した説明でも明らかなように本発明の分割収納できるベビーベッドでは、分離して互いに係合できる別体の前部枠と後部枠とを連結手段によって強固に連結してベッド枠を形成して使用できるので、使用時にベッド枠を押したり引いたりしても、或いは少し大きくなった赤ちゃん等が揺すっても、連結箇所で変形したりガタついたりすることなく安定して使用できる。
【００４２】
また、一時的にベビーベッドを畳んで部屋のスペースを確保する場合や、使用しなくなったベビーベッドを押し入れ等に収納保管する場合は、連結手段を外すことによって前部枠と後部枠とを簡単に分離でき、この前部枠と後部枠とを左右方向に位置をずらして簡単に各枠内に係合させることができる。このことにより前後幅（ベビーベッドとして使用時の前後方向の奥行き幅）が、使用時のベビーベッドの半分位の幅になり、小スペースにして部屋の中に片付けたり、押し入れ等に収納保管することができる。また、床板は、係合させた前部枠と後部枠との内部空間に収納することができ、床板の保管スペースを別に確保する必要もなく、小スペースで本発明のベビーベッドを収納、保管することができる。
【００４３】
また、前部枠と後部枠のそれぞれの四隅にキャスターが取り付けてあるので、ベビーベッドを片付けたり保管したりする際に、前部枠と後部枠を夫々単独で移動させることができ、分離した前部枠と後部枠との係合作業も楽にかつ迅速に行うことができる。また、ベッド枠は、四隅とともに中央部（前部枠並びに後部枠の各両端部）をキャスターによって支持されているため、ベビーベッドを使用する場合も安定している。
【図面の簡単な説明】
【図１】本発明に係るベビーベッドの斜視図である。
【図２】本発明に係るベビーベッドを分割した状態の斜視図である。
【図３】図２の状態のベビーベッドを組み合わせた状態の斜視図である。
【図４】棚板の斜視図である。
【図５】連結手段の他の例の説明図である。
【図６】連結手段のまた別の例の説明図である。
【符号の説明】
１        ベビーベッド
２        床板
３        ベッド枠
４        前部枠
５        後部枠
６        連結手段
７        キャスター
１１      前側桟枠（左右枠部分）
２２      後側桟枠（左右枠部分）
３５      接続具
【図１】
2004261269.tif 000003
【図２】
2004261269.tif 000004
【図３】
2004261269.tif 000005
【図４】
2004261269.tif 000006
【図５】
2004261269.tif 000007
【図６】
2004261269.tif 000008